(57)【要約】【課題】  風呂追焚き運転中に給湯運転を行うとき、加熱された湯水をカラン等に即座に供給することのできる燃焼装置を提供する。【解決手段】  熱源ユニット１内に設けられ、給湯用熱交換部２及び風呂用熱交換部３を有する熱交換器１Ａと、給湯用熱交換部２及び風呂用熱交換部３を加熱するためのバーナｂと、バーナｂを点火するための点火装置５と、点火装置５に対向して設けられたバーナｂに対応する第２電磁弁ＳＶ２と、第２電磁弁ＳＶ２に隣接する第３電磁弁ＳＶ３と、第２電磁弁ＳＶ２に隣接しない第４電磁弁ＳＶ４と、を備え、第２電磁弁ＳＶ２及び第３電磁弁ＳＶ３を除く燃料ガス弁に対向するバーナｂのみで燃焼運転を行う第１のモードから、少なくとも第２電磁弁ＳＶ２に対向するバーナｂを含むバーナで燃焼運転を行う第２のモードに移行する燃焼パターンを有する燃焼装置であって、第１のモードから第２のモードに移行する際、点火装置５を点火させることにより、点火装置５に対向して設けられたバーナｂで燃焼運転を行う。【選択図】  図２
2005249339.tif 000002
【特許請求の範囲】
【請求項１】
複数のバーナと、
前記複数のバーナのうちそれに対向して設けられたバーナを点火するための点火装置と、
前記点火装置に対向して設けられたバーナに対応する第１の燃料ガス弁と、
前記第１の燃料ガス弁に隣接する第２の燃料ガス弁と、
前記第１の燃料ガス弁に隣接しない第３の燃料ガス弁と、を備え、
前記第３の燃料ガス弁に該当する燃料ガス弁のうち全部又はその一部に対向するバーナのみで燃焼運転を行う第１のモードから、少なくとも前記第１の燃料ガス弁に対向するバーナを含むバーナで燃焼運転を行う第２のモードに移行する燃焼パターンを有する燃焼装置であって、
前記第１のモードから前記第２のモードに移行する際、前記点火装置を点火させることにより、前記点火装置に対向して設けられたバーナで燃焼運転を行う点火制御手段を備えることを特徴とする、燃焼装置。
【請求項２】
熱源ユニット内に設けられ、第１の熱交換部及び第２の熱交換部を有する熱交換器と、
前記第１の熱交換部及び第２の熱交換部を加熱するための複数のバーナと、
前記複数のバーナのうちそれに対向して設けられたバーナを点火するための点火装置と、
前記点火装置に対向して設けられたバーナに対応する第１の燃料ガス弁と、
前記第１の燃料ガス弁に隣接する第２の燃料ガス弁と、
前記第１の燃料ガス弁に隣接しない第３の燃料ガス弁と、を備え、
前記第１の熱交換部及び第２の熱交換部の少なくともいずれか一方が加熱運転され、前記第３の燃料ガス弁に該当する燃料ガス弁のうち全部又はその一部に対向するバーナのみで燃焼運転を行う第１のモードから、前記第１の熱交換部が加熱運転され、少なくとも前記第１の燃料ガス弁に対向するバーナを含むバーナで燃焼運転を行う第２のモードに移行する燃焼パターンを有する燃焼装置であって、
前記第１のモードから前記第２のモードに移行する際、前記点火装置を点火させることにより、前記点火装置に対向して設けられたバーナで燃焼運転を行う点火制御手段を備えることを特徴とする、燃焼装置。
【請求項３】
前記第１の熱交換部は、前記バーナによって加熱されることにより、給湯栓に供給する湯水を加熱する、請求項２に記載の燃焼装置。
【請求項４】
前記第２の熱交換部は、前記バーナによって加熱されることにより、風呂湯水を追焚きする、請求項２又は３に記載の燃焼装置。
【発明の詳細な説明】
【技術分野】
【０００１】
本発明は、例えば給湯器に含まれる燃焼装置に関するものである。
【背景技術】
【０００２】
従来、例えば給湯器に含まれる燃焼装置としては、１つの熱源ユニット内に、例えば住宅の台所等に設けられたカランを通じて湯水を供給するための給湯運転用の熱交換部と、加熱した湯水を風呂に供給するための風呂追焚き用の熱交換部とを備えた、１缶２水型のものがある（例えば、特許文献１参照。）。
【特許文献１】特開平５−３０２７５３号公報
【０００３】
図６は、上記１缶２水型の燃焼装置の一例を示す概略構成図である。この燃焼装置は、熱源ユニット１内において湯水を加熱するための熱交換器が設けられている。この燃焼装置は、熱交換器１Ａ内に、給湯時にカラン等から湯水を供給するための給湯用熱交換部２と、風呂追焚き時に風呂に湯水を供給するための風呂用熱交換部３とを別体に備えている。なお、図６に示す燃焼装置では、風呂用熱交換部３が熱交換器１Ａ内の一部のみを湯水が通過する構成とされており、これは、風呂追焚きの燃焼能力が給湯の燃焼能力に比べ少ない能力で十分であるためである。
【０００４】
燃焼装置には、これらの熱交換部２，３に対応して各熱交換部２，３を加熱するための複数のバーナｂが備えられている。バーナｂは、これに燃料ガスが供給されることにより燃焼可能な状態となるが、バーナｂには、これに対する燃料ガスの供給を制御する複数（例えば５個）のガス電磁弁ＳＶ１〜ＳＶ５が設けられ、各バーナｂは、これらのガス電磁弁ＳＶ１〜ＳＶ５ごとに区分けされている。例えば図６によると、複数のバーナｂが区分けされたバーナ群Ｂ１〜Ｂ５に対して第１ないし第５ガス電磁弁ＳＶ１〜ＳＶ５が配置されている。
【０００５】
第１ないし第５バーナ群Ｂ１〜Ｂ５は、給湯用熱交換部２の熱源ユニット１内におけるほぼ全長に亘って配置されており、第４及び第５バーナ群Ｂ４，Ｂ５は、風呂用熱交換部３の熱源ユニット１内におけるほぼ全長に亘って配置されている。なお、図６では、各バーナ群におけるバーナの数が２つとされているが、説明の便宜のためであり、バーナの数及び配置等は、図６に示す態様に限るものではない。
【０００６】
第１ないし第５ガス電磁弁ＳＶ１〜ＳＶ５は、その開閉状態が後述する制御部３６によって制御されることにより、熱源ユニット１に接続されたガス配管１２から供給される燃料ガスを各バーナ群Ｂ１〜Ｂ５に対して供給するか否かを切り換える。
【０００７】
また、上記熱源ユニット１には、バーナを点火させるための点火装置５が設けられている。ユーザによって例えばカランが操作されて、制御部３６から給湯を行う指示がなされたとき、第２ガス電磁弁ＳＶ２が開状態に切り換えられ、上記バーナ群Ｂ１〜Ｂ５のうち例えば第２バーナ群Ｂ２に対して燃料ガスが供給され、第２バーナ群Ｂ２は点火装置５によって点火される。
【０００８】
点火装置５は、コスト面が考慮され、通常、熱源ユニット１において例えば給湯用熱交換部２を加熱するためのバーナ群である第２バーナ群Ｂ２に対してのみ設けられている。従って、風呂追焚きを行う指示がなされたときには、第２バーナ群Ｂ２を点火させてから風呂追焚き用の風呂用熱交換部３を加熱するためのバーナ群、すなわち、第４及び第５バーナ群Ｂ４，Ｂ５を燃焼状態にしなければならない。
【０００９】
この場合、燃焼装置では、隣り合うバーナ群を順々に燃焼状態にする、いわゆる火移り動作が行なわれる。具体的には、第２バーナ群Ｂ２から第３バーナ群Ｂ３に火移り動作が行われる場合、第３バーナ群Ｂ３に対応する第３ガス電磁弁ＳＶ３を開状態にし、かつ送風ファン６を適度な回転数にして熱源ユニット１内に適度な風量が生じる状態を所定時間維持する。これにより、第３バーナ群Ｂ３は、第２バーナ群Ｂ２から火移りして燃焼状態となる。
【００１０】
次いで、第３バーナ群Ｂ３から第４バーナ群Ｂ４に対して、さらに第４バーナ群Ｂ４から第５バーナ群Ｂ５に対して火移り動作が行われる。これらの火移り動作により、第４及び第５バーナ群Ｂ４，Ｂ５が燃焼状態となり、風呂用熱交換部３を加熱し、風呂に対して、加熱された湯水が供給されることになり、風呂追焚き運転が行われる。
【発明の開示】
【発明が解決しようとする課題】
【００１１】
ところが、上記のような火移り動作は、その動作を開始してから次のバーナ群の燃焼状態が安定するまで所定時間を要するので、例えば風呂追焚き運転中にユーザによって給湯動作を開始させる旨の操作が行われると、カラン等に温まった湯水が供給されるまでタイムラグが生じる。
【００１２】
例えば、風呂追焚き運転が行われているとき、すなわち、第４及び第５のバーナＢ４，Ｂ５が燃焼状態にあり風呂用熱交換部３を加熱しているとき、ユーザによって例えばカランが操作されて、制御部から給湯を行う指示がなされると、その時点では第２バーナ群Ｂ２は燃焼状態ではないため、第４バーナ群Ｂ４から第２バーナ群Ｂ２に対して火移り動作を行う必要がある。
【００１３】
この場合、第３バーナ群Ｂ３も燃焼状態ではないため、まず、第４バーナ群Ｂ４から第３バーナ群Ｂ３に火移りさせ、その後、第３バーナ群Ｂ３から第２バーナ群Ｂ２に火移りさせる。具体的には、第３バーナ群Ｂ３に対応する第３ガス電磁弁ＳＶ３を閉状態から開状態に制御し、送風ファン６により適当な風量にした状態を所定時間維持することにより、第３バーナ群Ｂ３を燃焼状態にする。
【００１４】
さらに、その後、送風ファン６により適当な風量にした状態を所定時間維持することにより、第２バーナ群Ｂ２に対応する第２ガス電磁弁ＳＶ２を閉状態から開状態に制御し、第２のバーナＢ２を燃焼状態とする。なお、その後、第３バーナ群Ｂ３は、非燃焼状態にするため、第３ガス電磁弁ＳＶ３は閉状態に制御される。これらの制御により、第２バーナ群Ｂ２が燃焼状態となって給湯用熱交換部２が加熱され、カラン等から湯水が供給されるようになる。
【００１５】
一方、停止状態から給湯運転のみを単独で動作させる場合には、点火装置５によって第２バーナ群Ｂ２を点火して燃焼状態にするので、即座に加熱された湯水をカランに供給することができる。しかし、風呂追焚き運転から給湯動作が行われる場合には、上記したような火移り動作を行う必要があり、カラン等に温まった湯水が供給されるまでかなりの時間が費やされ、カランから迅速に湯水が供給されにくいといった問題点があった。なお、このような問題点は、バーナｂの点火制御に関するものであり、熱交換器１Ａの給湯用熱交換部２及び風呂用熱交換部３に対して直接的に関連するものではない。
【００１６】
また、風呂追焚き運転から給湯運転を行うときには、第４バーナ群Ｂ４から第２バーナ群Ｂ２に火移りさせるために、第３バーナ群Ｂ３をも燃焼状態とするため、要求されている以上の能力になる、すなわち、要求されている以上の温度の湯水が供給される場合があり、ユーザの使用上、良好とは言い難かった。
【００１７】
本願発明は、上記した事情のもとで考え出されたものであって、要求される燃焼能力に対して迅速かつ最適な燃焼制御を行うことのできる燃焼装置を提供することを、その課題とする。
【課題を解決するための手段】
【００１８】
上記の課題を解決するため、本願発明では、次の技術的手段を講じている。
【００１９】
本願発明の第１の側面によって提供される燃焼装置は、複数のバーナと、前記複数のバーナのうちそれに対向して設けられたバーナを点火するための点火装置と、前記点火装置に対向して設けられたバーナに対応する第１の燃料ガス弁と、前記第１の燃料ガス弁に隣接する第２の燃料ガス弁と、前記第１の燃料ガス弁に隣接しない第３の燃料ガス弁と、を備え、前記第３の燃料ガス弁に該当する燃料ガス弁のうち全部又はその一部に対向するバーナのみで燃焼運転を行う第１のモードから、少なくとも前記第１の燃料ガス弁に対向するバーナを含むバーナで燃焼運転を行う第２のモードに移行する燃焼パターンを有する燃焼装置であって、前記第１のモードから前記第２のモードに移行する際、前記点火装置を点火させることにより、前記点火装置に対向して設けられたバーナで燃焼運転を行う点火制御手段を備えることを特徴としている（請求項１）。
【００２０】
本願発明の第２の側面によって提供される燃焼装置は、熱源ユニット内に設けられ、第１の熱交換部及び第２の熱交換部を有する熱交換器と、前記第１の熱交換部及び第２の熱交換部を加熱するための複数のバーナと、前記複数のバーナのうちそれに対向して設けられたバーナを点火するための点火装置と、前記点火装置に対向して設けられたバーナに対応する第１の燃料ガス弁と、前記第１の燃料ガス弁に隣接する第２の燃料ガス弁と、前記第１の燃料ガス弁に隣接しない第３の燃料ガス弁と、を備え、前記第１の熱交換部及び第２の熱交換部の少なくともいずれか一方が加熱運転され、前記第３の燃料ガス弁に該当する燃料ガス弁のうち全部又はその一部に対向するバーナのみで燃焼運転を行う第１のモードから、前記第１の熱交換部が加熱運転され、少なくとも前記第１の燃料ガス弁に対向するバーナを含むバーナで燃焼運転を行う第２のモードに移行する燃焼パターンを有する燃焼装置であって、前記第１のモードから前記第２のモードに移行する際、前記点火装置を点火させることにより、前記点火装置に対向して設けられたバーナで燃焼運転を行う点火制御手段を備えることを特徴としている（請求項２）。
【００２１】
好ましい実施の形態によれば、前記第１の熱交換器は、前記バーナによって加熱されることにより、給湯栓に供給する湯水を加熱するとよい。また、前記第２の熱交換器は、前記バーナによって加熱されることにより、風呂湯水を追焚きするとよい（請求項３，４）。
【発明の効果】
【００２２】
上記構成によれば、第１及び第２の燃料ガス弁を除く燃料ガス弁に対向するバーナのみで燃焼運転を行う第１のモード（例えば風呂追焚き運転が行われるモード）から、第１の燃料ガス弁に対向するバーナを含むバーナで燃焼運転を行う第２のモード（例えば給湯運転が行われるモード）に移行するとき、点火装置に対向して設けられたバーナを点火装置によって点火して第２のモードに移行させるので、従来の構成のように、第１及び第２の燃料ガス弁を除く燃料ガス弁に対向するバーナから第１の燃料ガス弁に対向するバーナに対して燃焼状態を移すとき、所定の時間が費やされていた火移り動作を行う必要がなく、例えば風呂追焚き運転中に給湯運転を行うとき、加熱された湯水をカラン等に即座に供給することのできる燃焼装置を提供することができる。
【００２３】
本願発明のその他の特徴及び利点は、添付図面を参照して以下に行う詳細な説明によって、より明らかとなろう。
【発明を実施するための最良の形態】
【００２４】
以下、本願発明の好ましい実施の形態を、添付図面を参照して具体的に説明する。
【００２５】
図１は、本願発明に係る燃焼装置を示す全体構成図である。この燃焼装置は、例えば住宅の台所や洗面所等に設けられたカランＷを通じて湯水を供給して給湯運転を行ったり、加熱した湯水を風呂に供給して風呂お湯張り又は追焚き運転を行ったりするためのものであり、熱源ユニット１と、この熱源ユニット１に接続された配管系統とを備えている。
【００２６】
この燃焼装置は、湯水を加熱するための熱交換器１Ａを有し、カランＷ等に湯水を供給するための給湯用熱交換部２（特許請求の範囲に記載の「第１の熱交換部」に相当）と、風呂追焚きのための湯水を供給するための風呂用熱交換部３（特許請求の範囲に記載の「第２の熱交換部」に相当）とが１つの熱源ユニット１内において収納された、１缶２水型と呼称されるものである。本実施形態では、風呂追焚き運転中に、給湯運転が行われるとき、すなわち、後述するバーナによって風呂用熱交換部３に対して加熱が行われているときに、他のバーナによって給湯用熱交換部２に対して加熱を行うとき、従来の火移り動作を行わないようにして給湯用熱交換部２を迅速に加熱するようにされている。以下、詳述する。
【００２７】
この燃焼装置は、所定の容積を有する熱源ユニット１が備えられており、熱源ユニット１内には、熱交換器１Ａが設けられている。熱交換器１Ａ内には、略Ｕ字状に延びた給湯用熱交換部２と、この給湯用熱交換部２の長さより短く形成され略Ｕ字状に延びた風呂用熱交換部３とが設けられている。なお、給湯用熱交換部２は、熱交換器１Ａ内の全部を湯水が通過する構成とされる一方、風呂用熱交換部３は、熱交換器１Ａ内の一部のみを湯水が通過する構成とされている。
【００２８】
給湯用熱交換部２は、図示しない給水栓から配水管１６（後述）を通じて供給され、この交換部内に流れる水が、後述するバーナによって加熱されるものである。給湯用熱交換部２によって加熱された湯水は、カランＷに対して供給される。
【００２９】
風呂用熱交換部３は、風呂追焚き時に、風呂から湯水管２６（後述）を通じて供給され、この交換部内に流れる湯水が、後述するバーナによって加熱されるものであり、風呂用熱交換部３によって加熱された湯水は、風呂に対して供給される。
【００３０】
図２は、図１に示す熱源ユニット１の拡大構成図である。なお、「背景技術」の欄では、熱源ユニット１の同様な構成を簡単に説明したが、ここではより詳細に説明するため、一部説明が重複している。
【００３１】
熱源ユニット１内には、ガス配管１２（後述）を通じて導かれてきた燃料ガスを燃焼させることにより、給湯用熱交換部２及び風呂用熱交換部３に対してこれら熱交換部２，３を加熱するために２０個のバーナｂ１〜ｂ２０（以下、総称するときは「バーナｂ」という。）が備えられている。より具体的には、上述した左右に延びた熱交換器１Ａ内における給湯用熱交換部２のほぼ全域に対向するように２０個のバーナｂが配置され、熱交換器１Ａ内における風呂用熱交換部３のほぼ全域に対向するように、２０個のバーナのうち、左端から７個のバーナｂ１４〜ｂ２０が配置されている。なお、バーナの数は、上記２０個に限るものではない。
【００３２】
熱源ユニット１には、５つに区切られた燃焼領域ｒ１〜ｒ５が設けられ、上記２０個のバーナｂ１〜ｂ２０は、これら燃焼領域ｒ１〜ｒ５に対応して区分けされている。燃焼領域ｒ１〜ｒ５には、燃焼領域ｒ１〜ｒ５ごとに５つの第１ないし第５ガス電磁弁ＳＶ１〜ＳＶ５が対応して設けられている。
【００３３】
より具体的には、バーナｂ１〜ｂ６（以下、総称するときは「第１バーナ群Ｂ１」という。）が第１燃焼領域ｒ１及び第１ガス電磁弁ＳＶ１に対応し、バーナｂ７〜ｂ１０（以下、総称するときは「第２バーナ群Ｂ２」という。）が第２燃焼領域ｒ２及び第２ガス電磁弁ＳＶ２に対応し、バーナｂ１１〜ｂ１３（以下、総称するときは「第３バーナ群Ｂ３」という。）が第３燃焼領域ｒ３及び第３ガス電磁弁ＳＶ３に対応し、バーナｂ１４〜ｂ１７（以下、総称するときは「第４バーナ群Ｂ４」という。）が第４燃焼領域ｒ４及び第４ガス電磁弁ＳＶ４に対応し、バーナｂ１８〜ｂ２０（以下、総称するときは「第５バーナ群Ｂ５」という。）が第５燃焼領域ｒ５及び第５ガス電磁弁ＳＶ５に対応している。
【００３４】
各ガス電磁弁ＳＶ１〜ＳＶ５は、後述する制御部３６からの指令により閉状態又は開状態のいずれか一方になるように制御され、各燃焼領域ｒ１〜ｒ５に対して供給される燃料ガスの流入を許可又は阻止する。
【００３５】
従って、各ガス電磁弁ＳＶ１〜ＳＶ５が閉状態から開状態になったとき、そのガス電磁弁ＳＶ１〜ＳＶ５に対応する燃焼領域ｒ１〜ｒ５に燃料ガスが供給され、燃焼領域ｒ１〜ｒ５内に供給された燃料ガスによって、当該燃焼領域ｒ１〜ｒ５内に対応して設けられた各バーナｂ１〜ｂ２０が燃焼可能な状態となるようになっている。
【００３６】
熱源ユニット１内には、バーナｂの炎を検出するための第１及び第２のフレームロッドＦ１，Ｆ２が設けられている。第１のフレームロッドＦ１は、第２バーナ群Ｂ２の上方に配置され、第２のフレームロッドＦ２は、第４バーナ群Ｂ４の上方に配置されている。すなわち、第１のフレームロッドＦ１は、主に給湯運転されたときにその運転のために燃焼状態となるバーナ群の炎を検出し、第２のフレームロッドＦ２は、風呂追焚き運転と給湯運転が同時にされたときに、あるいは風呂追焚き運転のみがされたときにその運転のために燃焼状態となるバーナ群の炎を検出する。
【００３７】
熱源ユニット１内には、バーナｂを着火させるために用いられる点火装置５が設けられている。点火装置５は、たとえば第２バーナ群Ｂ２の各バーナを点火させるためにそれらの近傍に点火プラグが位置するように配置されている。なお、点火装置５は、コスト的な面を考慮して１つのみ設けられている。
【００３８】
また、熱源ユニット１の下方には、ファンモータ３７（後述）の駆動力により回転させられて熱源ユニット１内の給排気を行う送風ファン６が設けられている。送風ファン６は、たとえばシロッコファンによって構成されており、後述する制御部３６からの指令により駆動されるとともに、その回転数が制御される。送風ファン６の回転数が制御されることにより、熱源ユニット１内に供給される送風量が変化される。
【００３９】
この熱源ユニット１において、制御部３６によって各ガス電磁弁ＳＶ１〜ＳＶ５が適当なタイミングで開閉制御されて各バーナｂ１〜ｂ２０が燃焼することにより、燃焼能力が切り換えられながら給湯動作及び風呂追焚き動作が行われるようになっている。
【００４０】
例えば給湯運転開始時には、第２バーナ群Ｂ２の各バーナｂ７〜ｂ１０が最初に燃焼される。次いで、燃焼能力を上昇させる場合には、第１バーナ群Ｂ１の各バーナｂ１〜ｂ６、第３バーナ群Ｂ３の各バーナｂ１１〜ｂ１３、第４バーナ群Ｂ４の各バーナｂ１４〜ｂ１７、第５バーナ群Ｂ５の各バーナｂ１８〜ｂ２０が順次、燃焼される。一方、燃焼能力を低下させる場合には、第５バーナ群Ｂ５、第４バーナ群Ｂ４、第３バーナ群Ｂ３、第１バーナ群Ｂ１、及び第２バーナ群Ｂ２の順で非燃焼とされる。
【００４１】
また、風呂追焚き時には、第４バーナ群Ｂ４の各バーナｂ１４〜ｂ１７が燃焼される。燃焼能力を上昇させる場合には、第４バーナ群Ｂ４の各バーナｂ１４〜ｂ１７とともに第５バーナ群Ｂ５の各バーナｂ１８〜ｂ２０が燃焼される。
【００４２】
次に、図１に戻り、上記熱源ユニット１に接続される配管系統について説明する。熱源ユニット１には、ガス取入れ口１１に連通されたガス配管１２が接続されている。熱源ユニット１には、燃焼燃料となる燃料ガスがこのガス取入れ口１１からガス配管１２を通じて供給される。ガス配管１２の途中であってガス取入れ口１１近傍には、元ガス電磁弁ＳＶ０が設けられている。また、ガス配管１２の途中には、ガス比例弁１３が設けられている。
【００４３】
熱源ユニット１には、給水口１５に連通され給湯用熱交換部２に至る配水管１６が接続されている。給湯用熱交換部２には、加熱すべき水が給水口１５から配水管１６を通じて供給される。配水管１６の途中には、水量センサ１７や入水温度センサ１８が設けられている。また、給湯用熱交換部２には、カランＷに湯水を供給するための導水管１９が接続されている。導水管１９の途中には、水量調整弁２０や出湯温度センサ２１が設けられている。
【００４４】
配水管１６の途中であって、水量センサ１７の上流側には、それから分岐した第１バイパス管２２が接続され、第１バイパス管２２は、導水管１９の途中であって水量調整弁２０の上流側に接続されている。第１バイパス管２２には、バイパス水量調整弁２３が設けられている。この第１バイパス管２２は、給水口１５からの水を給湯用熱交換部２で加熱された湯水と混合させるために用いられる。
【００４５】
さらに、熱源ユニット１には、風呂戻り口２５に連通され風呂用熱交換部３に至る湯水管２６が接続されている。風呂用熱交換部３には、加熱すべき湯水が風呂戻り口２５から湯水管２６を通じて供給される。湯水管２６の途中には、風呂ポンプ２７、風呂水流スイッチ２８、及び風呂戻り水温センサ２９が設けられている。また、風呂用熱交換部３には、風呂に湯水を供給するための導水管３０が接続されている。
【００４６】
上記した導水管１９の途中であって出湯温度センサ２１の下流側には、湯水管２６の途中に至る第２バイパス管３１が接続されている。第２バイパス管３１の途中には、注湯水量センサ３２、注湯電磁弁３３、及び水位センサ３４等が設けられている。第２バイパス管３１は、風呂お湯張り時に給湯用熱交換部２において加熱した水を湯水管２６に導く際に用いられる。
【００４７】
図３は、図１に示す燃焼装置の電気的構成を示すブロック図である。この燃焼装置１は、相互にバス接続されたＣＰＵ、ＲＯＭ、ＲＡＭ、及びＩ／Ｏ等からなるマイクロコンピュータを有する制御部３６を備えている。制御部３６には、元ガス電磁弁ＳＶ０、第１ないし第５ガス電磁弁ＳＶ１〜ＳＶ５、点火装置５、第１及び第２フレームロッドＦ１，Ｆ２、送風ファン６を回転駆動させるためのファンモータ３７等が接続されている。なお、図３に示す構成は一例であって、本実施形態に関連する主要な構成要素を主に表しており、実際にはこれら以外の要素も接続されている。例えば、図１に示した配水管１６に設けられた水量センサ１７や入水温度センサ１８が接続されている。また、図３には示していないが、制御部３６には、台所や風呂等に設けられたリモコン装置が接続されている。
【００４８】
制御部３６は、燃焼装置全体の制御中枢として機能するものであり、ＲＯＭに記憶されている燃焼制御プログラムに基づいて各部の動作を制御する。例えば、制御部３６は、リモコン装置から送られる操作信号等に基づいて、バーナｂを燃焼状態にして各交換部２，３を加熱するよう制御し、給湯動作や風呂湯張り又は追焚き動作を行う。具体的には、制御部３６は、ユーザによるカランの操作、又はリモコン装置から風呂お湯張り若しくは追焚き運転を指令する旨の操作信号があると、点火装置５を点火させ、必要に応じて各種のガス電磁弁ＳＶ０〜ＳＶ５を開閉動作させることにより、第１ないし第５バーナ群Ｂ１〜Ｂ５を燃焼状態にさせる。
【００４９】
また、本実施形態では、制御部３６は、風呂追焚き運転中に、給湯運転する旨の指令があったとき、従来行われていた火移り動作を行わずに、給湯用熱交換部２を加熱するための第２のバーナ群Ｂ２を点火装置５によって点火することにより燃焼させるようにしている。これにより、カラン等に湯水が即座に供給されるようにしている。
【００５０】
以下、この燃焼装置における制御処理を、図４に示すフローチャート及び図５に示すタイミングチャートを参照して説明する。なお、この制御処理では、説明の便宜上、風呂追焚き運転から給湯運転が行われる際の動作について説明する。
【００５１】
まず、制御部３６は、風呂追焚き運転のための操作がユーザによって行われるか否かを判別する（Ｓ１）。ユーザによって例えば風呂追焚き運転を行う旨の操作が図示しないリモコン装置等によって行われ、その旨の操作信号がリモコン装置から送られると、制御部３６は、風呂追焚き運転のための操作が行われたと判別する（Ｓ１：ＹＥＳ）。
【００５２】
次いで、制御部３６は、図５のＴ１の期間に示すように、第２バーナ群Ｂ２を燃焼状態にするとともに火移り動作を行って第３及び第４バーナ群Ｂ３，Ｂ４を燃焼状態にする。具体的には、制御部３６は、元ガス電磁弁ＳＶ０、及び第２ないし第４ガス電磁弁ＳＶ２〜ＳＶ４をオンにするとともに（Ｓ２）、点火装置５をオンにする（Ｓ３）。また、制御部３６は、第２バーナ群Ｂ２に着火させたり、第３及び第４バーナ群Ｂ３，Ｂ４に火移りさせたりするために、送風ファン６による風量が適度な風量になるように、ファンモータ３７の回転数を下げるよう制御する。これにより、第２バーナ群Ｂ２のバーナが点火装置５によって点火されて燃焼状態となる。
【００５３】
その後、制御部３６は、第２及び第４バーナ群Ｂ２，Ｂ４のバーナが燃焼状態となったか否かを検出するために、第１及び第２フレームロッドＦ１，Ｆ２からの検出出力に基づいて第２バーナ群Ｂ２及び第４バーナ群Ｂ４の炎を検出したか否かを判別する（Ｓ４）。また、火移り動作が行われて燃焼状態が安定するまでの所定時間（例えば１秒）が経過したか否かを判別する（Ｓ５）。
【００５４】
第２バーナ群Ｂ２及び第４バーナ群Ｂ４の炎を検出し（Ｓ４：ＹＥＳ）、燃焼状態が安定するまでの所定時間が経過したと判別した場合（Ｓ５：ＹＥＳ）、制御部３６は、第４バーナ群Ｂ４から第５バーナ群Ｂ５への火移り動作を行う。すなわち、第４バーナ群Ｂ４及び第５バーナ群Ｂ５をともに燃焼状態にし、燃焼能力を切り換える。
【００５５】
具体的には、制御部３６は、図５のＴ２の期間に示すように、第２及び第３ガス電磁弁ＳＶ２，ＳＶ３をオフにし、第５ガス電磁弁ＳＶ５をオンにする（Ｓ６）。このとき、制御部３６は、第５バーナ群Ｂ５に火移りさせるために、送風ファン６による風量が適度な風量になるように、ファンモータ３７の回転数を下げるよう制御する。そして、第５ガス電磁弁Ｂ５の燃焼状態が安定するまでの所定時間（例えば１秒）が経過したか否かの判別を行う（Ｓ７）。
【００５６】
燃焼状態が安定するまでの所定時間が経過したと判別した場合（Ｓ７：ＹＥＳ）、風呂追焚き運転が単独で行われている状態になる（Ｓ８）。すなわち、第４及び第５ガス電磁弁ＳＶ４，ＳＶ５がオンとなり、風呂用熱交換部３が加熱されて、これにより加熱された湯水が風呂に供給される。
【００５７】
次いで、制御部３６は、給湯運転のための操作がユーザによって行われるか否かを判別する（Ｓ９）。ユーザによって例えばカラン操作され、水量センサ１７の検出信号に基づく水量データが所定流量以上になると、制御部３６は、給湯運転のための操作が行われたと判別する（Ｓ９：ＹＥＳ）。
【００５８】
そして、制御部３６は、図５のＴ３の期間に示すように、給湯運転に移行する。具体的には、ファンモータ３７の回転数が規定の回転数に達したか否かを判別する（Ｓ１０）。制御部３６は、ファンモータ３７の回転数が規定の回転数に達したと判別した場合（Ｓ１０：ＹＥＳ）、点火装置５をオンにするとともに（Ｓ１１）、第２ガス電磁弁ＳＶ２をオンにする（Ｓ１２）。これにより、第４及び第５バーナ群Ｂ４，Ｂ５が燃焼状態である上に、さらに第２バーナ群Ｂ２が燃焼状態となる。
【００５９】
その後、制御部３６は、第２バーナ群Ｂ２のバーナが燃焼状態となったか否かを検出するために、第１フレームロッドＦ１からの検出出力に基づいて第２バーナ群Ｂ２の炎を検出したか否かを判別する（Ｓ１３）。また、点火装置５が点火されてから第２バーナ群Ｂ２の燃焼状態が安定するまでの所定時間（例えば１秒）が経過したか否かを判別する（Ｓ１４）。
【００６０】
制御部３６は、第１フレームロッドＦ１からの検出出力に基づいて第２バーナ群Ｂ２の炎を検出し（Ｓ１３：ＹＥＳ）、燃焼状態が安定するまでの所定時間が経過したと判別した場合（Ｓ１４：ＹＥＳ）、第２、第４及び第５バーナ群Ｂ２，Ｂ４，Ｂ５がそれぞれ燃焼状態となり、風呂追焚き運転及び給湯運転が同時に行われている状態になる（Ｓ１５）。
【００６１】
その後、図５のＴ４の期間に示すように、点火装置５はオフにされる。
【００６２】
このように、風呂追焚き運転中に給湯運転を開始する操作がなされたとき、点火装置５をオンするとともに第２ガス電磁弁ＳＶ２をオンにするので、即座に第２のバーナ群Ｂ２が燃焼状態となり、カランＷに対して湯水を迅速に供給することができる。
【００６３】
従来の制御処理では、風呂追焚き運転中に給湯運転を開始する操作がなされたとき、一旦火移り動作を行うことによって給湯運転が行われていたので、カランＷに温まった湯水が供給されるまでかなりの時間が費やされ、カランＷから迅速に湯水が供給されにくいといった問題点があったが、本実施形態では、その問題点を解消することができる。
【００６４】
また、従来では、火移り動作を行うことによって第４のバーナ群Ｂ４と第２バーナ群Ｂ２の間に介在された第３バーナ群Ｂ３をも燃焼状態にしなければならず、要求されている以上の温度の湯水が供給される場合があるといった欠点があったが、本実施形態では、風呂追焚き運転中に給湯運転が行われるとき、火移り動作を行わないため、要求されている以上の温度の湯水が供給されることはない。
【００６５】
また、本実施形態では、火移り動作が行われなくなった結果、風呂追焚き運転中に給湯運転がなされるときの火移り動作を行う制御プログラムを省略することができるので、ソフトウェア処理を簡略化することができるとともに、制御プログラムを搭載するメモリの容量を削減することができる。
【００６６】
なお、上記の制御処理では、風呂追焚き運転と給湯運転とが同時に行われる場合を説明したが、風呂追焚き運転中から給湯運転が開始されたとき、風呂追焚き運転は停止されて給湯運転が単独で行われてもよい。また、本実施形態における制御動作は、従来、上述した火移り動作が行われていた燃焼装置（例えば１缶２水式）において用いられるものであり、例えば給湯と風呂追焚きが互いに異なる熱源ユニットを用いて行われる燃焼装置（例えば２缶２水式）には本実施形態における制御動作は、適用されるものではない。また、本実施形態における制御動作は、バーナｂの点火制御に関するものであり、熱交換器１Ａの給湯用熱交換部２及び風呂用熱交換部３に対して直接的に関連するものではない。
【００６７】
もちろん、この発明の範囲は上述した実施の形態に限定されるものではない。  例えば、図１に示した燃焼装置の風呂追焚き運転用の配管に代えて、温水暖房運転用の配管が備えられてもよい。
【００６８】
また、上記の構成においては、バーナｂは、５つの群に区分けされていたが、これに限らず、他の複数の群に区分けされて、各バーナ群の各バーナが燃焼されるようにしてもよい。
【図面の簡単な説明】
【００６９】
【図１】本願発明に係る燃焼装置を示す全体構成図である。
【図２】図１に示す熱源ユニットの拡大構成図である。
【図３】燃焼装置の電気的構成を示す図である。
【図４】制御部の制御処理を示すフローチャートである。
【図５】制御部の制御処理を説明するためのタイミングチャートである。
【図６】従来の熱源ユニットの構成を示す図である。
【符号の説明】
【００７０】
１  熱源ユニット
２  給湯用熱交換部
３  風呂用熱交換部
５  点火装置
３６  制御部
３７  ファンモータ
ｂ  バーナ
Ｂ１  第１バーナ群
Ｂ２  第２バーナ群
Ｂ３  第３バーナ群
Ｂ４  第４バーナ群
Ｂ５  第５バーナ群
Ｆ１  第１のフレームロッド
Ｆ２  第２のフレームロッド
ＳＶ０  元ガス電磁弁
ＳＶ１  第１ガス電磁弁
ＳＶ２  第２ガス電磁弁
ＳＶ３  第３ガス電磁弁
ＳＶ４  第４ガス電磁弁
ＳＶ５  第５ガス電磁弁
【図１】
2005249339.tif 000003
【図２】
2005249339.tif 000004
【図３】
2005249339.tif 000005
【図４】
2005249339.tif 000006
【図５】
2005249339.tif 000007
【図６】
2005249339.tif 000008